(57)【要約】【課題】ネットワークの設定を自動的に行うことができる子機、親機および無線通信システム並びにネットワーク設定方法を提供する。【解決手段】子機に、親機から通知された子機を示す識別子を設定する識別子設定手段を備え、親機に、子機の識別子を取得する識別子取得手段と、識別子を子機に通知する識別子通知手段とを備えることにより達成される。【選択図】図４
2007174303.tif 000002
【特許請求の範囲】
【請求項１】
親機から通知された子機を示す識別子を設定する識別子設定手段
を備えることを特徴とする子機。
【請求項２】
請求項１に記載の子機において、
子機を示す識別子を記録する識別子記録手段
を備えることを特徴とする子機。
【請求項３】
請求項１または２に記載の子機において、
前記識別子設定手段は、親機により送信されたネットワーク参加許可を示す信号に格納された識別子に基づいて、該識別子を設定することを特徴とする子機。
【請求項４】
子機の識別子を取得する識別子取得手段と、
前記識別子を対応する子機に通知する識別子通知手段と
を備えることを特徴とする親機。
【請求項５】
請求項４に記載の親機において、
前記識別子取得手段は、子機を示す識別子が記録された識別子記録手段から該子機の識別子を読み込むことを特徴とする親機。
【請求項６】
請求項４または５に記載の親機において、
前記識別子通知手段は、前記識別子を、ネットワーク参加許可を示す信号に格納して通知することを特徴とする親機。
【請求項７】
子機と親機とを備える無線通信システムにおいて、
前記子機は、
親機から通知された子機を示す識別子を設定する識別子設定手段
を備え、
前記親機は、
子機の識別子を取得する識別子取得手段と、
前記識別子を対応する子機に通知する識別子通知手段と
を備えることを特徴とする無線通信システム。
【請求項８】
親機が、子機の識別子を取得する識別子取得ステップと、
親機が、前記識別子を対応する子機に通知する識別子通知ステップと、
子機が、親機から通知された前記識別子を設定する識別子設定ステップと
を有することを特徴とするネットワーク設定方法。
【請求項９】
請求項８に記載のネットワーク設定方法において、
前記識別子設定ステップは、親機により送信されたネットワーク参加許可を示す信号に格納された識別子に基づいて、該識別子を設定することを特徴とするネットワーク設定方法。
【請求項１０】
請求項８または９に記載のネットワーク設定方法において、
前記識別子通知ステップは、前記識別子を、ネットワーク参加許可を示す信号に格納して通知することを特徴とするネットワーク設定方法。
【発明の詳細な説明】
【技術分野】
【０００１】
本発明は、無線ネットワークシステムで使用される子機、親機および無線通信システム並びにネットワーク設定方法に関する。
【背景技術】
【０００２】
例えば、無線ＬＡＮによりネットワークを構築する場合、親機、子機にＰＣを接続し、該ＰＣから親機、子機に対してネットワーク設定作業が行われる。
【０００３】
また、このようなネットワークにより遠隔情報監視システムを構成する場合、データの監視が必要な所望の測定ポイントに、遠隔監視端末が設置され、諸設定が予め行われる（例えば、特許文献１参照）。
【特許文献１】特開２００３−１５０２３６号公報
【発明の開示】
【発明が解決しようとする課題】
【０００４】
しかし、上述した背景技術には、以下に示すような問題がある。
【０００５】
ＰＣや無線ＬＡＮの知識がないとネットワークの設定が困難である問題がある。
【０００６】
例えば、無線ＬＡＮの場合、図１に示すように、親機／子機にＰＣを接続し、該ＰＣから設定作業を行い、ネットワークを構築する。具体的には、親機とＰＣとを接続して親機の設定を行い、子機とＰＣとを接続して子機の設定を行う必要がある。この場合、子機に対しては、親機に接続する設定、例えば、セキュリティに関する設定、子機の名称、親機の名称、ネットワーク名が設定される。
【０００７】
近年、無線ＬＡＮの普及に伴い、簡単にネットワークの設定ができる製品が開発されている。このような製品では、親機の設定ボタンと子機の設定ボタンとを順番に押すことにより、子機のネットワークの設定を完了させることができる。
【０００８】
しかし、このような製品では、同時に複数の端末を設定したい場合には、その設定作業が煩雑になる。
【０００９】
無線ＬＡＮやブルートゥースなどの無線機器では、子機の数は１台からせいぜい数台であり、上述した設定方法を用いても、設置できる。これに対して、センサネットワークでは一般家庭への普及も想定され、子機の数が多くなる可能性がある。したがって、センサネットワークに対しては、これまでの設定方法では困難である。
【００１０】
そこで、本発明は、かかる事情に鑑み、ネットワークの設定を自動的に行うことができる子機、親機および無線通信システム並びにネットワーク設定方法を提供することを目的とする。
【課題を解決するための手段】
【００１１】
上記課題を解決するため、本発明の子機は、親機から通知された子機を示す識別子を設定する識別子設定手段を備えることを特徴の１つとする。
【００１２】
このように構成することにより、例えばネットワークを構築する場合に、子機に、該子機に対応する識別子を設定できる。このため、子機に、該子機に対応する識別子を予め設定する必要がない。
【００１３】
また、本発明の親機は、子機の識別子を取得する識別子取得手段と、前記識別子を対応する子機に通知する識別子通知手段とを備えることを特徴の１つとする。
【００１４】
このように構成することにより、例えばネットワークを構築する場合に、子機の識別子を取得し、該識別子を対応する子機に通知することができる。
【００１５】
また、本発明の無線通信システムは、子機と親機とを備える無線通信システムにおいて、前記子機は、親機から通知された子機を示す識別子を設定する識別子設定手段とを備え、前記親機は、子機の識別子を取得する識別子取得手段と、前記識別子を対応する子機に通知する識別子通知手段とを備えることを特徴の１つとする。
【００１６】
このように構成することにより、例えばネットワークを構築する場合に、親機は、取得した子機の識別子を、対応する子機に通知することができ、子機は、例えば、ネットワークを構築する場合に、該子機の識別子を設定できる。このため、子機に識別子を予め設定する必要がない。
【００１７】
また、本発明のネットワーク設定方法は、親機が、子機の識別子を取得する識別子取得ステップと、親機が、前記識別子を対応する子機に通知する識別子通知ステップと、子機が、親機から通知された前記識別子を設定する識別子設定ステップとを有することを特徴の１つとする。
【００１８】
このようにすることにより、ネットワークを構築する場合に、親機は、取得した子機の識別子を、対応する子機に通知することができ、子機は、例えばネットワークを構築する場合に、該子機の識別子を設定できる。このため、子機に識別子を予め設定することない。また、ネットワークの設定を自動的に行うことができる。
【発明の効果】
【００１９】
本発明の実施例によれば、ネットワークの設定を自動的に行うことができる子機、親機および無線通信システム並びにネットワーク設定方法を実現できる。
【発明を実施するための最良の形態】
【００２０】
次に、本発明を実施するための最良の形態を、以下の実施例に基づき図面を参照しつつ説明する。
【００２１】
なお、実施例を説明するための全図において、同一機能を有するものは同一符号を用い、繰り返しの説明は省略する。
【００２２】
本発明にかかる無線通信システムとしての無線センサネットワークについて説明する。
【００２３】
本実施例にかかる無線センサネットワークは、図２に示すように親機１００と、子機２００（２００１、２００２、．．．、２００Ｎ）とを備える。
【００２４】
本実施例にかかる無線センサネットワークでは、無線センサネットワークに、新たに子機を追加する場合に、子機２００に付加、例えば貼付されているＩＣタグを、親機１００が備えるＩＣタグリーダにより読み取らせることにより、簡単にネットワークの設定（拡張）を行うことができる。
【００２５】
次に、本実施例にかかる無線センサネットワークにおける親機１００について、図３を参照して説明する。
【００２６】
本実施例にかかる親機１００は、アンテナを備える無線部１０２と、無線部１０２と接続された識別子通知手段としてのマイクロ・コントローラ・ユニット（ＭＣＵ：  Ｍｉｃｒｏ  Ｃｏｎｔｒｏｌｌｅｒ  Ｕｎｉｔ）１０４と、ＩＣタグアンテナを備え、ＭＣＵ１０４と接続された識別子取得手段としてのＩＣタグリード部１０６とを備える。
【００２７】
ＩＣタグリード部１０６は、子機２００の筐体に付加されたＩＣタグ２０８に記録された該子機に対応する識別子を取得する。例えば、ＩＣタグリード部１０６は、子機２００の筐体に付加されたＩＣタグ２０８に記録された識別子、例えば子機ＩＤを読み取り、ＭＣＵ１０４に入力する。ＭＣＵ１０４は、入力された子機ＩＤを設定する子機に対して、ネットワーク参加許可を示す信号を、無線部１０２を介して送信する。ネットワーク参加許可を示す信号には、親機１００を示す標識、例えばネットワークＩＤ、宛先を示す情報、例えば子機の識別子、例えば子機ＩＤなどが格納される。また、ＭＣＵ１０４は、宛先を示す情報、例えば子機ＩＤに対応する公開鍵と秘密鍵のペアを生成し、該公開鍵を、ネットワーク参加許可を示す信号に格納するようにしてもよい。
【００２８】
無線部１０２は、ネットワーク参加許可を示す信号を送信した子機からネットワーク参加確認を示す信号を受信し、ＭＣＵ１０４に入力する。
【００２９】
ＭＣＵ１０４は、ＣＰＵ、ＲＯＭやＲＡＭなどのメモリ、入出力ポート、通信ポートなどの周辺機能を１チップ上に集積したマイクロコンピュータである。
【００３０】
ＭＣＵ１０４は、入力されたネットワーク参加確認を示す信号に基づいて、該子機をネットワーク構成リストに追加する。このネットワーク参加確認を示す信号には、子機を示す標識、例えば子機ＩＤが格納されている。この場合、ネットワーク参加確認を示す信号が公開鍵により暗号化されている場合には、ＭＣＵ１０４は、秘密鍵により復号する。
【００３１】
その後、親機１００の配下の子機２００からの無線通信による情報は、アンテナを介して、無線部１０２に受信され、ＭＣＵ１０４に入力される。ＭＣＵ１０４は、入力された情報を識別子、例えば「子機ＩＤ」により管理する。また、ＭＣＵ１０４は、他の親機の配下の子機からの無線通信による情報を、識別子を確認することにより区別する。
【００３２】
ＭＣＵ１０４は、アプリケーションソフトウエアを記憶する。例えば、ＭＣＵ１０４は、無線センサネットワークの利用分野が防犯管理である場合、コンピュータに、防犯管理を行い、通報することを実行させるプログラムを記憶する。
【００３３】
また、プログラムは、コンピュータを、子機の識別子を取得する識別子取得手段と、前記識別子を対応する子機に通知する識別子通知手段として機能させる。
【００３４】
さらに、プログラムは、コンピュータを、前記識別子取得手段として機能させる場合に、子機を示す識別子が記録された識別子記録手段から該子機の識別子を読み込むように機能させるようにしてもよい。
【００３５】
また、プログラムは、コンピュータを、前記識別子通知手段として機能させる場合に、前記識別子を、ネットワーク参加許可を示す信号に格納して通知するように機能させるようにしてもよい。
【００３６】
また、ＭＣＵ１０４は、無線ネットワークを構築し、管理する機能を有する。例えば、ＭＣＵ１０４は、アプリケーションのデータ、例えばセンサにより検出された検出値を示すデータ、管理通報データ、例えば通報先の電話番号などのデータを管理する。また、ＭＣＵ１０４は、自親機１００が管理するネットワークの標識、すなわちネットワークＩＤを管理する。
【００３７】
また、ＭＣＵ１０４は、自親機が管理する子機の標識、すなわち子機ＩＤを管理する。また、ＭＣＵ１０４は、自親機が管理する子機の接続状況を、ネットワーク構成リストとして管理する。例えば、ＭＣＵ１０４は、自親機が管理する子機の接続の有無を管理する。
【００３８】
次に、本実施例にかかる無線センサネットワークにおける子機２００について、図４を参照して説明する。
【００３９】
本実施例にかかる子機２００は、アンテナを備える無線部２０２と、無線部２０２と接続された識別子設定手段としてのマイクロ・コントローラ・ユニット（ＭＣＵ：  Ｍｉｃｒｏ  Ｃｏｎｔｒｏｌｌｅｒ  Ｕｎｉｔ）２０４と、ＭＣＵ１０４と接続されたセンサ２０６とを備える。また、子機２００の筐体には、子機の識別子、例えば「子機ＩＤ」が記録された識別子記録手段としてのＩＣタグ２０８が貼付される。
【００４０】
ＩＣタグ２０８には、子機の識別子、例えば「子機ＩＤ」を示す情報が記録される。
【００４１】
無線部２０２は、親機１００から送信されたネットワーク参加許可を示す信号を受信し、ＭＣＵ２０４に入力する。ネットワーク参加許可を示す信号には、親機１００を示す標識、例えばネットワークＩＤ、宛先を示す情報、例えば子機の識別子、例えば子機ＩＤなどが格納される。
【００４２】
ＭＣＵ２０４は、ＣＰＵ、ＲＯＭやＲＡＭなどのメモリ、入出力ポート、通信ポートなどの周辺機能を１チップ上に集積したマイクロコンピュータである。
【００４３】
ＭＣＵ２０４は、入力されたネットワーク参加許可を示す信号にしたがって、該信号に格納された識別子、例えば子機ＩＤをメモリ領域に書き込む。
【００４４】
また、ＭＣＵ２０４は、ネットワーク参加確認を示す信号を親機１００に送信する。このネットワーク参加確認を示す信号には、子機を示す標識、例えば子機ＩＤが格納され、ネットワークＩＤを宛先として送信される。また、ＭＣＵ２０４は、親機１００から、公開鍵が送信された場合には、該公開鍵で、ネットワーク参加確認を示す信号を暗号化して送信するようにしてもよい。
【００４５】
その後、ＭＣＵ２０４はセンサ２０６を監視し、異常が検出された場合に、親機１００に通知する。
【００４６】
ＭＣＵ２０４は、アプリケーションソフトウエアを記憶する。例えば、ＭＣＵ２０４は、無線センサネットワークの利用分野が防犯管理である場合、コンピュータにセンサ処理を行うことを実行させるプログラムを記憶する。
【００４７】
また、プログラムは、コンピュータを、親機から通知された子機を示す識別子を設定する識別子設定手段として機能させる。
【００４８】
さらに、プログラムは、コンピュータを、前記識別子設定手段として機能させる場合に、親機により送信されたネットワーク参加許可を示す信号に格納された識別子に基づいて、該識別子を設定するように機能させるようにしてもよい。
【００４９】
また、ＭＣＵ２０４は、無線ネットワークを構築し、管理する機能を有する。例えば、ＭＣＵ２０４は、アプリケーションのデータ、例えばセンサにより検出された検出値を示すデータを管理する。また、ＭＣＵ２０４は、自子機が参加するネットワークの標識、例えばネットワークＩＤ、自子機の標識を示す子機ＩＤを管理する。
【００５０】
次に、本実施例にかかる親機１００の動作について、図５を参照して説明する。
【００５１】
ＭＣＵ１０４は、ネットワークを構築するか否かを判断する（ステップＳ５０２）。例えば、ＭＣＵ１０４は、子機２００を追加するモード、例えばセンサ追加モードに設定されたか否かに基づいて、ネットワークを構築するか否かを判断する。
【００５２】
ネットワークを構築すると判断しない場合（ステップＳ５０２：ＮＯ）、ＭＣＵ１０４は、ネットワーク上の子機２００を監視し、該子機から異常があることを示す信号を受信した場合に、異常があることを通報する（ステップＳ５０４）。
【００５３】
一方、ネットワークを構築すると判断した場合（ステップＳ５０２：ＹＥＳ）、ＩＣタグリード部１０６は、該ＩＣタグリード部１０６に近づけられた子機２００に付加されたＩＣタグ２０８に記録された情報を読み取る（ステップＳ５０６）。このＩＣタグ２０８には、子機２００の識別子、例えば「子機ＩＤ」を示す情報が記録されている。
【００５４】
次に、ＭＣＵ１０４は、ＩＣタグリード部１０６における読み取り処理が終了したか否かを判断する（ステップＳ５０８）。
【００５５】
ＩＣタグリード部１０６における読み取り処理が終了しない場合（ステップＳ５０８：ＮＯ）、ステップＳ５０６に戻る。
【００５６】
一方、ＩＣタグリード部１０６における読み取り処理が終了した場合（ステップＳ５０８：ＹＥＳ）、ＭＣＵ１０４は、情報を読み取った子機に対して、ネットワーク参加許可を示す信号を送信する（ステップＳ５１０）。
【００５７】
次に、ＭＣＵ１０４は、子機２００からネットワーク参加確認を示す信号を受信したか否かを判断する（ステップＳ５１２）。
【００５８】
子機２００からネットワーク参加確認を示す信号を受信しない場合（ステップＳ５１２：ＮＯ）、ステップＳ５１２に戻る。
【００５９】
一方、子機２００からネットワーク参加確認を示す信号を受信した場合（ステップＳ５１２：ＹＥＳ）、ＭＣＵ１０４は、子機の識別子をネットワーク構成リストに追加する（ステップＳ５１４）。その後、ステップＳ５０６に戻る。
【００６０】
次に、本実施例にかかる子機２００の動作について、図６を参照して説明する。
【００６１】
ＭＣＵ２０４は、ネットワークに参加しているか否かを判断する（ステップＳ６０２）。例えば、ＭＣＵ２０４は、メモリ領域に、自子機の識別子が記憶されているか否かを確認することによりネットワークに参加しているか否かを判断する。
【００６２】
ネットワークに参加していると判断した場合（ステップＳ６０２：ＹＥＳ）、ＭＣＵ２０４は、センサ２０６を監視し、該センサ２０６が異常を検出した場合に、異常が検出されたことを示す信号を、無線部２０２を介して親機１００に通知する。
【００６３】
一方、ネットワークに参加していないと判断した場合（ステップＳ６０２：ＮＯ）、子機２００が親機１００に近づけられ、子機２００に付加されたＩＣタグに記録された子機の識別子、例えば子機ＩＤが親機のＩＣタグリード部１０６に読み取られる。
【００６４】
ＭＣＵ２０４は、該親機１００からネットワーク参加許可を示す信号が受信されたか否かを判断する（ステップＳ６０６）。
【００６５】
親機１００からネットワーク参加許可を示す信号が受信されない場合（ステップＳ６０６：ＮＯ）、ステップＳ６０６に戻る。
【００６６】
一方、親機１００からネットワーク参加許可を示す信号が受信された場合（ステップＳ６０６：ＹＥＳ）、該ネットワーク参加許可を示す信号に格納された識別子、例えば子機ＩＤを登録（設定）する（ステップＳ６０８）。
【００６７】
次に、ＭＣＵ２０４は、ネットワーク参加確認を示す信号を親機に送信する（ステップＳ６１０）。
【００６８】
次に、本実施例にかかる無線センサネットワークを、家庭用防犯センサや火災センサに採用した場合について説明する。ここでは、子機２００に火災センサを備える場合、すなわち、センサ２０６が火災センサにより構成される場合について説明する。
【００６９】
親機１００を、例えばセキュリティターミナルとして用いる。このセキュリティターミナルに子機２００を追加する場合には、センサ追加モードに設定される。
【００７０】
次に、図７に示すように、親機１００の読み取り部に子機２００、例えば火災センサを備える子機を近づけ、該子機２００に付加されたＩＣタグ２０８に予め記録されている識別子、例えば「個別ＩＤ」（ＩＤ１、ＩＤ２、ＩＤ３）を親機のＩＣタグリード部１０６に読み取らせる。例えば、自宅に設置された親機、例えばホームセキュリティターミナルなどに子機をかざすことにより、子機ＩＤを読み取らせる。
【００７１】
その結果、親機と子機との相互認証が自動的に行われ、親機１００は、自親機１００の配下に入る子機２００を認識することができる。このようにすることにより、「個別ＩＤ」を例えばキーボードにより入力する必要なく、入力ミスも防ぐことができる。
【００７２】
次に、親機１００は、読み取った「個別ＩＤ」に対応する子機２００に対し、子機２００の識別子、例えば子機ＩＤと、自親機の標識、例えば「ネットワークＩＤ」とが格納されたネットワーク参加許可を示す信号を、例えばジグビー（ＺｉｇＢｅｅ）無線により通知する。ジグビー（ＺｉｇＢｅｅ）とは、家電向けの近距離無線通信規格の１つである。
【００７３】
子機２００は、親機１００から送信されたネットワーク参加許可を示す信号を受信する。ＭＣＵ２０４は、ネットワーク参加許可を示す信号に格納された子機２００の識別子を、メモリ領域に書き込むことにより、識別子を子機に設定する。その結果、子機２００は、自子機２００の識別子と、自子機２００が属するネットワークの親機を認識する。このようにすることにより、子機に、該子機の識別子を予め設定する必要がなく、例えば、ネットワークを構築する場合に、子機に、該子機の識別子を設定できる。
【００７４】
次に、ＭＣＵ２０４は、ネットワーク参加確認を示す信号を親機１００に送信する。この結果、親機と子機との無線通信関係が確立する。
【００７５】
次に、図８に示すように、親機１００の備える画面から、各「個別ＩＤ」毎に、子機２００を設置する場所（部屋）を選択し、各子機を、設定した部屋へ設置する。
【００７６】
以降、通常の処理が行われ、子機２００においてセンサが異常を検出した場合に、親機１００に対して、「個別ＩＤ」とセンサの状態が通知される。
【００７７】
この場合、例えば、親機と子機との間に中継機が存在する場合には、子機は中継機を経由して親機にセンサ状態を通知するようにしてもよい。
【００７８】
また、本実施例にかかる親機１００において、アンテナを備えるＩＣタグリード部１０６を取り外して使用できるようにしてもよい。この場合、アンテナを備えるＩＣタグリード部１０６は、子機２００に付加されたＩＣタグ２０８に記録された子機の識別子を読み取り処理を行った後、ＭＣＵ１０４に接続される。このようにすることにより、既に設置済みで、移動が困難である子機に記録された「個別ＩＤ」を読み取らせることができ、親機に追加することができる。例えば、防犯硝子などにセンサ２０６が組み込まれて子機が構成されている場合、該子機に付加されたＩＣタグ２０８に記録された「個別ＩＤ」を読み取らせることができ、親機に追加することができる。
【００７９】
また、親機１００から子機２００に、ネットワーク参加許可を示す信号をジグビー無線で通知する場合に、暗号鍵（公開鍵）を通知しておくようにしてもよい。このようにすることにより、以降のジグビー無線でやり取りする情報を暗号化することができ、情報漏えいの対策を行うことができる。この場合、ＭＣＵ１０４は、宛先を示す情報、例えば子機ＩＤに対応する公開鍵と秘密鍵のペアを生成し、該公開鍵を、ネットワーク参加許可を示す信号に格納する。
【００８０】
また、ある子機が壊れた場合には、親機１００のネットワーク構成リストから削除し、ある子機に貼付されているＩＣタグを、新たな子機に貼付し、上述した処理を行う。このようにすることにより、子機が壊れた場合においても、容易に取り替えることができる。
【００８１】
上述した実施例においては、親機と子機との間でネットワークを構築する場合について説明したが、親機同士でネットワークを構築する場合においても適用できる。例えば、ホームセキュリティ用のネットワーク、家電ネットワークなどを管理する親機同士で相互認証させる。このようにすることにより、ネットワークの拡張を容易に行うことができる。
【００８２】
また、上述した実施例においては、子機に、該子機の識別子が記録されたＩＣタグを貼付する場合について説明したが、識別子が記録されたものであればよく、例えばバーコードを印字したものを貼付するようにしてもよい。この場合、親機は、バーコードリーダを備えるようにすることにより、子機の識別子を読み込むことができる。
【００８３】
また、上述した実施例においては、子機に、該子機の識別子が記録されたＩＣタグを貼付する場合について説明したが、親機側で、子機の識別子を認識でき、該識別子を子機に通知できれば、貼付する必要はない。
【００８４】
また、上述した実施例においては、親機と子機とが、ジグビー無線により情報をやり取りする場合について説明したが、他の無線方式を適用するようにしてもよい。
【００８５】
また、従来の子機の製造工程においては、子機の識別子、例えばＭＡＣアドレスが書き込まれたＲＯＭが作製され、該ＲＯＭは製造ラインで基板に搭載され、該基板は筐体に搭載される。筐体には、搭載されたＲＯＭに書き込まれたＭＡＣアドレスが記載されたシールが貼付される。
【００８６】
この製造工程では、ＲＯＭに書き込まれたＭＡＣアドレスと、ＲＯＭが搭載された筐体に貼付されるシールに記載されたＭＡＣアドレスとを一致させる必要がある。
【００８７】
本実施例では、筐体に貼付されるシールに記載されたＭＡＣアドレスのみを異なるようにすることにより、ＲＯＭに予め識別子を書き込む必要がなく、子機に識別子を設定できる。このようにすることにより、ＲＯＭに書き込まれた識別子とは異なる識別子が記載されたシールを、該ＲＯＭが搭載された筐体に貼付するという誤りをなくすことができる。また、生産工程を短縮することができる。
【００８８】
また本実施例では、親機１００のＩＣタグリード部１０６で、複数の子機に貼付されたＩＣタグに記録された識別子を読み取らせるようにすることにより、複数の子機に対して子機ＩＤを設定することができ、多数のセンサの設定を簡単に行うことができる。
【００８９】
以上、本発明を好ましい実施例について説明したが、本発明は上記の特定の実施例に限定されるものではなく、特許請求の範囲に記載した要旨内において様々な変形・変更が可能である。
【産業上の利用可能性】
【００９０】
本発明は、無線センサネットワークに適用できる。
【図面の簡単な説明】
【００９１】
【図１】無線ネットワークシステムにおけるネットワーク設定作業を示す説明図である。
【図２】本発明の一実施例にかかる無線センサネットワークを示す説明図である。
【図３】本発明の一実施例にかかる親機を示すブロック図である。
【図４】本発明の一実施例にかかる子機を示すブロック図である。
【図５】本発明の一実施例にかかる親機の動作を示すフロー図である。
【図６】本発明の一実施例にかかる子機の動作を示すフロー図である。
【図７】本発明の一実施例にかかる無線センサネットワークの一使用例を示す説明図である。
【図８】本発明の一実施例にかかる無線センサネットワークの一使用例を示す説明図である。
【符号の説明】
【００９２】
１００  親機
２００  子機
【図１】
2007174303.tif 000003
【図２】
2007174303.tif 000004
【図３】
2007174303.tif 000005
【図４】
2007174303.tif 000006
【図５】
2007174303.tif 000007
【図６】
2007174303.tif 000008
【図７】
2007174303.tif 000009
【図８】
2007174303.tif 000010